(57)【要約】      （修正有）【課題】パソコンのマザーボード等に実装されたカードエッジコネクタの端子を、マザーボードを筐体に組み込んだままの状態で、簡単に洗浄できる方法及び洗浄治具を提供する。【解決手段】洗浄剤タンク１４から浸透管１５を通して浸透される洗浄剤を、適時供給される布素材１３で吸収させ、カードエッジタイプコネクタと嵌合する基材１０のエッジ部１１を、洗浄剤が浸透した前記布素材でおおったものをクリーニング基材とし、該クリーニング基材によりコネクタ接触端子と摺動させることで、汚染を取り除くように構成する。【選択図】図１
2006059713.tif 000002
【特許請求の範囲】
【請求項１】
洗浄剤を浸透させた布素材で、コネクタと嵌合可能な基材を覆う構造のクリーニング基材を、汚染コネクタ内で摺動させ、カードエッジコネクタの端子汚染を洗浄するコネクタの端子汚染洗浄方法。
【請求項２】
カードエッジコネクタの端子汚染を洗浄する治具であって、
前記カードエッジコネクタと嵌合可能なエッジ部を有する基材と、
洗浄剤を供給するタンクと、
洗浄剤を浸透させる布素材からなるクリーニング基材と、
前記タンクから供給される前記洗浄剤を受け、前記基材の中央部分に設けた開口部から  供給し、前記布素材の幅全体を浸透させる一以上の浸透管と、
前記布素材を保持するホルダーから、前記基材の開口部を通して供給し、前記基材エッジ部を覆いつつ、基材のエッジ部を経由して一定のテンションで保持しつつ排出する構造の布素材供給機構と、
を有し、前記布素材供給機構により供給される前記クリーニング基材を前記カードエッジコネクタ内で摺動させることでコネクタの端子汚染が洗浄されることを特徴とする洗浄治具。
【請求項３】
前記布素材供給機構の排出部には、切断可能な構造を有することを特徴とする請求項２記載の洗浄治具。
【請求項４】
前記浸透管は常に一定量の洗浄剤を布素材に滲みだす構造を有することを特徴とする請求項２記載の洗浄治具。
【請求項５】
前記クリーニング基材は摺動操作を容易とする把手を有することを特徴とする請求項２記載の洗浄治具。
【発明の詳細な説明】
【技術分野】
【０００１】
本発明は、パソコンのマザーボード等に実装されたコネクタ端子等の洗浄方法に関し、更にはドータボードを実装するマザーボード側カードエッジコネクタを、パソコン等に組み込んだままで、洗浄剤が浸透する布素材で摺動させて端子の汚染を取り除く方法及び洗浄治具に関する。
【背景技術】
【０００２】
図４は、パソコン本体の筐体に内蔵されるプリント板ユニットの実装方法の一例を示すマザーボード／ドータボード実装状態概略図である。図４において、１は筐体、２はマザーボード、３はドータボード、４はドータボード３のプリント板ユニットのカードエッジ端子、５はドータボード３のカードエッジ端子４が差し込まれるマザーボード側のカードエッジコネクタ、６はパソコン本体の上蓋である。
【０００３】
図４に例示したように、パソコンのマザーボード２には、いくつかのドータボード３を実装するためのカードエッジコネクタ５が搭載されている。ドータボード３の種類としては、ＰＣＩ（Ｐｅｒｉｐｈｅｒａｌ  Ｃｏｍｐｏｎｅｎｔ  Ｉｎｔｅｒｃｏｎｎｅｃｔ）カード、ＤＩＭＭ（Ｄｕａｌ  Ｉｎ  ｌｉｎｅ  Ｍｅｍｏｒｙ  Ｍｏｄｕｌｅ）カード、ＡＧＰ（Ａｃｃｅｌｅｒａｔｅｄ  Ｇｒａｐｈｉｃａｌ  Ｐｏｒｔ）カードなどがあり、これらドータボード側は、通称ゴールドフィンガとよばれる金メッキされた端子がカードエッジ状に配列されたカードエッジ端子４を有しており、前記マザーボード側カードエッジコネクタ５に差し込むことにより物理的接触と電気的接続が得られるようになっている。
【０００４】
ところで、カードエッジ端子４に汚れが付着していると接触的に問題がおきることが知られている。たとえば製造工程に使用されるフラックスが飛散することでゴールドフィンガ表面が汚染され、それをコネクタに差し込むことでカードエッジコネクタ５まで汚染されることになる。この場合、図４のパソコン本体の筐体の上蓋６を外し、マザーボード２から、ドータボード３を一旦抜き出し、ドータボード３のカードエッジ端子４の汚れを洗浄することになる。
【０００５】
カードエッジ端子４自体はアルコールにて簡単に洗浄可能であり、装置やカードに合わせて、ユーザ側で容易に清掃できるクリーナや清掃工具が提案されている（例えば、特許文献１、特許文献２）。他方、接触性能の改善にはマザーボード２側のカードエッジコネクタ５の端子の汚染をなくすことも必須であるが、洗浄液をクリーナに含浸させてコンタクトを洗浄するコネクタの提案（例えば、特許文献３）があるものの、これらはいずれも、マザーボード２に実装されたままでカードエッジコクタ５の端子を洗浄するものではない。
【０００６】
マザーボード２側のカードエッジコネクタ５の洗浄は極めて困難であり、従来はカードエッジコネクタ５の端子が汚染された場合は、筐体１からマザーボード２を取り外し、新しいコネクタの載せ替えを行うことになり、工数的にもコスト的にも割高な対応であった。また、洗浄スプレーでの洗浄も行なわれるが、吹き飛ばされる汚染残渣が周囲に撒き散ったり、汚染残渣がマザーボード２上に残ったり、しつこくこびりついた汚れはなかなか落ちないという欠点があった。このように、パソコン筐体１に組み込まれたままの状態でのカードエッジコクタ５の洗浄は、通常極めて困難であるが、この問題を解決した提案は知られていない。
【特許文献１】実開平６−２９０７７号公報
【特許文献２】特開平７−２６２３２９号公報
【特許文献３】特開平１０−３４０７５４号公報
【発明の開示】
【発明が解決しようとする課題】
【０００７】
本発明は、パソコン等の筐体にマザーボードを組み込んだままの状態で、簡単にマザーボード側カードエッジコネクタの端子を洗浄できる方法及び洗浄治具の提供を目的とする。
【課題を解決するための手段】
【０００８】
本発明は、洗浄剤タンクから何本かの浸透管を通して浸透される洗浄剤を、適時送られる布素材で吸収し、該洗浄剤で浸透された布素材でおおわれた構造のクリーニング基材を、カードエッジコネクタの端子と接触・摺動させることにより汚染を取り除くように構成する。
【発明の効果】
【０００９】
本発明によれば、パソコンの筐体にマザーボードを組み込んだままの状態で、簡単にマザーボードに実装されたコネクタ端子の汚染を取り除くことができる。従来の、汚染されたコネクタの交換方法に比べて大幅なコストダウンが可能となる。また、布素材でふき取る方法なので、洗浄スプレーを使用する場合に対しても汚染残渣を残すことがなく、また撒き散らす懸念もなく、しつこい汚れもきれいに落とすことができる効果を有する。
【発明を実施するための最良の形態】
【００１０】
洗浄剤タンクから浸透管を通して浸透される洗浄剤を、適時供給される布素材で吸収させ、カードエッジタイプコネクタと嵌合する基材のエッジ部を、洗浄剤が浸透した前記布素材でおおったものをクリーニング基材とし、本クリーニング基材によりコネクタ接触端子と摺動させることで、汚染を取り除く洗浄治具を実現した。
【実施例】
【００１１】
図１〜図３は、本発明の１実施例を説明するための洗浄治具の概略構造図であり、図１は断面図、図２は図１の断面図右側からの斜視図、図３は断面図左側からの斜視図である。図１において、１０は洗浄治具本体を構成する基材、１１は洗浄対象のマザーボード側カードエッジコネクタ５と接触するエッジ部、１２は人手で摺動操作を容易とするために基材と一体化された把手、１３は布素材、１４は洗浄剤タンク、１５は浸透管、１６は基材開口部および滲み出し部、１７は布素材を送り出す複数のカム、１８は挟持カム、１９は切断刃、２０は布素材の供給から巻き取りまでを行うユニットを保持するホルダーであり、図２、図３においても同一構成部分には同一符号を付す。
【００１２】
基材１０の材質はコネクタと抜き差し可能な硬度を有するものであり、対象コネクタと嵌合可能なエッジ部１１を有する。エッジ部１１の幅（長手方向）はコネクタ嵌合口より若干小さめにすることにより、左右のしゅう動を可能とする。布素材１３は洗浄剤（ＩＰＡ：ＩｓｏＰｒｏｐｙｌ  Ａｌｃｏｈｏｌ等、有機溶剤全般）が浸透する構造体であるものとする。布素材１３はある程度の挿抜でも糸くずが発生しないものであるものが望ましい。複数の回転可能なカム１７、挟持カム１８と切断刃１９を有するホルダー２０が基材１０にねじ等により固定されている。ロール状に巻かれた布素材１３を供給側からカム１７を経由して基材開口部１６で基材１０と交差させる。その後、基材エッジ部１１を経由して最終的に挟持カム１８で一定のテンションを保って保持される。エッジ部１１は適当なまるみを持った形状とする。さらに挟持カム１８近傍に切断刃１９を有し、使用済の布素材を切断することができる。図示していないが、切断ではなく、さらに巻き取りを設ける方法もある。一方、基材１０の反対面には図３に示すように、洗浄剤の入った洗浄剤タンク１４が取り付けられており浸透管１５を通して前記基材開口部および滲み出し部１６にある滲み出し部材に浸透し、常に一定量が布素材に浸透する構造となっている。洗浄剤タンク１４からの注入口から分岐されて滲み出し部１６に至る浸透管１５の本数や間隔は、基材の幅、即ち、洗浄対象コネクタの幅に応じて設けられ、ほぼ均等に布素材１３が浸されるように設けられる。
【図面の簡単な説明】
【００１３】
【図１】本発明の１実施例を示す洗浄治具の概略断面図
【図２】図１の洗浄治具の右方向からの斜視図
【図３】図１の洗浄治具の左方向からの斜視図
【図４】マザーボード／ドータボード実装状態概略図
【符号の説明】
【００１４】
１    筐体
２    マザーボード
３    ドータボード
４    プリント板ユニットのカードエッジ端子
５    マザーボード側のカードエッジコネクタ
６    上蓋
１０    基材
１１    エッジ部
１２    把手
１３    布素材
１４    洗浄剤タンク
１５    浸透管
１６    基材開口部および滲み出し部
１７    カム
１８    挟持カム
１９    切断刃
２０    ホルダー
【図１】
2006059713.tif 000003
【図２】
2006059713.tif 000004
【図３】
2006059713.tif 000005
【図４】
2006059713.tif 000006